(57)【要約】【課題】緊急に薬物を投与する場合に、特段の準備なく、直ちに薬物を経皮投与することができる。【解決手段】イオン化した薬物をイオントフォレーシスにより経皮投与する装置本体５０と、生体に着用する衣服４００とを備え、装置本体５０が、衣服４００の内側に取り付けられたイオントフォレーシス装置１０が提供される。装置本体５０に保持された薬物を外部から隔離するセパレータ５１をさらに備え、セパレータ５１が装置本体５０から取り外されることにより、薬物が経皮投与されることが好ましい。【選択図】図２
2007167581.tif 000002
【特許請求の範囲】
【請求項１】
イオン化した薬物をイオントフォレーシスにより経皮投与する装置本体と、
生体に着用する衣服と
を備え、
前記装置本体が、前記衣服の内側に取り付けられたイオントフォレーシス装置。
【請求項２】
イオン化した薬物をイオントフォレーシスにより経皮投与するイオントフォレーシス装置であって、
生体に着用する衣服の内側に対して着脱可能に取り付けられたイオントフォレーシス装置。
【請求項３】
前記装置本体に保持された薬物を外部から隔離するセパレータをさらに備え、前記セパレータが前記装置本体から取り外されることにより、前記薬物が経皮投与される請求項１または２に記載のイオントフォレーシス装置。
【請求項４】
前記セパレータは、前記衣服に取り付けられており、前記衣服が撓んでいるときは前記装置本体を覆い、前記衣服を伸ばしたときに前記装置本体から取り外される請求項３に記載のイオントフォレーシス装置。
【請求項５】
前記薬物は、解毒剤を含む請求項１から４のいずれかに記載のイオントフォレーシス装置。
【請求項６】
前記装置本体は、
電源における、イオン化した前記薬物と同じ第１導電型の端子に電気的に接続される第１電極部材、および、前記薬物を含む薬液を保持しており、前記第１電極部材により作られる電場内に配される薬液保持部を有する作用側電極構造体と、
前記電源における、前記第１導電型と反対の導電型である第２導電型の端子に電気的に接続される非作用側電極構造体と
を有する請求項１から５のいずれかに記載のイオントフォレーシス装置。
【請求項７】
前記作用側電極構造体は、
前記第１電極部材に電気的に接続され、電解液を保持している第１電解液保持部、
前記第１電極部材との間で前記第１電解液保持部を挟み、前記第２の導電型のイオンを選択的に透過する第２導電型のイオン交換膜、および、
前記第２導電型のイオン交換膜との間で前記薬液保持部を挟み、前記第１の導電型のイオンを選択的に透過する第１導電型のイオン交換膜
をさらに有する請求項６に記載のイオントフォレーシス装置。
【請求項８】
前記非作用側電極構造体は、
前記電源の前記端子に電気的に接続される第２電極部材、
前記第２電極部材に電気的に接続され、電解液を保持している第２電解液保持部、
前記第２電極部材との間で前記第２電解液保持部を挟み、前記第２電極部材と異なる電気的な極性を有するイオンを選択的に透過する第１導電型のイオン交換膜、
前記第１導電型のイオン交換膜において前記第２電解液保持部と反対側に配され、電解液を保持している第３電解液保持部、および、
前記第１導電型のイオン交換膜との間で前記第３電解液保持部を挟み、前記第２電極部材と同じ電気的な極性を有するイオンを選択的に透過する第２導電型のイオン交換膜
を有する請求項７に記載のイオントフォレーシス装置。
【発明の詳細な説明】
【技術分野】
【０００１】
本発明は、イオントフォレーシス装置に関する。特に本発明は、薬物イオンをイオントフォレーシスにより経皮的に投与するイオントフォレーシス装置に関する。
【背景技術】
【０００２】
人間または動物の身体の所望部位における皮膚または粘膜などの生体表面（以下、これらをまとめて「皮膚」と称す）に対して、薬物イオンをイオントフォレーシスにより経皮的に投与するイオントフォレーシス装置が知られている（例えば、特許文献１および特許文献２を参照）。なお、イオントフォレーシス（ｉｏｎｔｏｐｈｏｒｅｓｉｓ）は、イオントフォレーゼ、イオン導入法、イオン浸透療法などと呼ばれることもある。
【特許文献１】特許第３３００９５３号
【特許文献２】特開平６−２７７３００号公報
【発明の開示】
【発明が解決しようとする課題】
【０００３】
上記特許文献に記載されたイオントフォレーシス装置は、例えば血圧など生体の変動要素をモニターして薬物を経皮投与する装置であり、該変動要素の変化に応じて薬物の種類あるいは投与量を制御しながら薬物を生体へ経皮投与する。このイオントフォレーシス装置は、薬物の投与前に、投与を受ける者の皮膚に薬物および薬物を投与する側の電極などが接触させられて固定される。ここで、毒ガスの吸引等による突発的な事故への対処等、緊急な投与が求められるときに、その事故にあった者が衣服を脱いでイオントフォレーシス装置を皮膚に接触させて固定する時間的な余裕がない場合がある。一方で、突発的な事故に備えて常時、イオントフォレーシス装置を皮膚に接触して固定しておくことは日常生活上不便である。したがって、本発明は、緊急時に、直ちに薬物を投与することができるイオントフォレーシス装置を提供することを目的とする。
【課題を解決するための手段】
【０００４】
上記課題を解決するために、本発明の第１の形態においては、イオン化した薬物をイオントフォレーシスにより経皮投与する装置本体と、生体に着用する衣服とを備え、装置本体が、衣服の内側に取り付けられたイオントフォレーシス装置が提供される。これにより、緊急に薬物を投与する場合に、特段の準備なく、直ちに薬物を経皮投与することができる。
【０００５】
上記イオントフォレーシス装置は、生体に着用する衣服の内側に対して着脱可能に取り付けられてもよい。これにより、衣服に対してイオントフォレーシス装置を容易に装着することができ、また、使用後あるいは他の薬物を投与したい場合などにおいて、衣服からイオントフォレーシス装置を容易に取り外すことができる。
【０００６】
上記イオントフォレーシス装置は、装置本体に保持された薬物を外部から隔離するセパレータをさらに備え、セパレータが装置本体から取り外されることにより、薬物が経皮投与されてもよい。これにより、経皮投与の直前まで薬物は外気あるいは皮膚と接触することがないので、薬物との不要な接触による皮膚の炎症あるいは薬物の酸化などの劣化を防ぐことができる。
【０００７】
上記イオントフォレーシス装置において、セパレータは衣服に取り付けられて、衣服が撓んでいるときは装置本体を覆い、衣服を伸ばしたときに装置本体から取り外されてもよい。これにより、衣服を着たままの状態でも、簡単な操作で直ちに薬物を適用することができる。
【０００８】
上記イオントフォレーシス装置において、薬物は、解毒剤を含んでもよい。これにより、不意に毒物と接触、あるいは有毒ガスを吸引した場合に、直ちに解毒剤である薬物を経皮投与することができる。
【０００９】
上記イオントフォレーシス装置において、装置本体は、電源における、イオン化した薬物と同じ第１導電型の端子に電気的に接続される第１電極部材、および、薬物を含む薬液を保持しており、第１電極部材により作られる電場内に配される薬液保持部を有する作用側電極構造体と、電源における、第１導電型と反対の導電型である第２導電型の端子に電気的に接続される非作用側電極構造体とを有してもよい。これにより、作用側電極構造体と当接する皮膚の熱傷または炎症などを防ぐことができるので、薬物イオンを安全に生体へ投与することができる。
【００１０】
また、作用側電極構造体は、第１電極部材に電気的に接続され、電解液を保持している第１電解液保持部、第１電極部材との間で第１電解液保持部を挟み、第２の導電型のイオンを選択的に透過する第２導電型のイオン交換膜、および、第２導電型のイオン交換膜との間で薬液保持部を挟み、第１の導電型のイオンを選択的に透過する第１導電型のイオン交換膜をさらに有してもよい。これにより、作用側電極構造体と当接する皮膚の熱傷または炎症などを防ぐことができるだけでなく、安定した通電状態のもとで薬物イオンを投与することができるので、安全かつ効率よく薬物イオンを生体へ投与することができる。
【００１１】
また、非作用側電極構造体は、電源の端子に電気的に接続される第２電極部材、第２電極部材に電気的に接続され、電解液を保持している第２電解液保持部、第２電極部材との間で第２電解液保持部を挟み、第２電極部材と異なる電気的な極性を有するイオンを選択的に透過する第１導電型のイオン交換膜、第１導電型のイオン交換膜において第２電解液保持部と反対側に配され、電解液を保持している第３電解液保持部、および、第１導電型のイオン交換膜との間で第３電解液保持部を挟み、第２電極部材と同じ電気的な極性を有するイオンを選択的に透過する第２導電型のイオン交換膜をさらに有してもよい。これにより、非作用側電極構造体と当接する皮膚の熱傷または炎症などを防ぐことができるだけでなく、さらに安定した通電状態のもとで薬物イオンを投与することができるので、安全かつ効率よく薬物イオンを生体へ投与することができる。
【００１２】
なお、上記の発明の概要は、本発明の必要な特徴の全てを列挙したものではなく、これらの特徴群のサブコンビネーションもまた、発明となりうる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１４】
図１は、本実施形態に係るイオントフォレーシス装置１０を収納する収納ポケット４５０を有する衣服４００の外観図を示す。図２は、未使用状態における収納ポケット４５０の鉛直方向における断面図を示す。ここで、未使用状態とは、イオントフォレーシスが適用されていない状態であり、これに対し、使用状態とは、イオントフォレーシスが適用されている状態である。なお、図１の衣服４００の一例は、使用者の皮膚に直接接触する肌着である。この衣服４００は肌着に限られず、肌着の上に着るシャツ、上着等でもよいが、衣服４００が肌着でない場合には、衣服４００よりも中に着ている肌着等に穴をあけておき、衣服４００に取り付けられたイオントフォレーシス装置１０が当該穴から皮膚に直接接触するようにしておくことが好ましい。
【００１５】
図１および図２に示すように、収納ポケット４５０は、ポケット４１０、ベロ４２０、およびスナップ４３０を有する。また、図２に示すように、衣服４００における収納ポケット４５０の内側に当たる部分には、冶具固定部９２、この冶具固定部９２で衣服４００に固定されたリング状の装置本体固定冶具９０、および、衣服４００を貫通した貫通穴４４０を有する。図２において、イオントフォレーシス装置１０の装置本体５０は、装置本体固定冶具９０に対して着脱可能に固定される。したがって、衣服４００に対してイオントフォレーシス装置１０の装置本体５０を容易に装着することができ、また、使用後あるいは他の薬物を投与したい場合などにおいて、衣服４００からイオントフォレーシス装置１０の装置本体５０を容易に取り外すことができる。
【００１６】
一方、装置本体５０の皮膚６００と対向する側の面であり、使用状態において皮膚６００と当接する面（以下、「当接面」と称す）は、未使用状態では、セパレータ５１で覆われる。したがって、経皮投与の直前まで薬物は外気あるいは皮膚６００と接触することがないので、薬物との不要な接触による皮膚６００の炎症あるいは薬物の酸化などの劣化を防ぐことができる。
【００１７】
また、図２に示すように、セパレータ５１にはセパレータ側トリガー１１０が接続しており、装置本体５０の内部に配された後述のスイッチ６６には、装置本体側トリガー１２０が接続する。セパレータ側トリガー１１０は、さらに、貫通穴４４０に通されて、装置本体５０の外部に延ばされた装置本体側トリガー１２０とともにリング１３０に接続されている。リング１３０は、未使用状態において、スナップ４３０によって固定されている。
【００１８】
図３は、イオントフォレーシス装置１０の装置本体５０の当接面からセパレータ５１が取り外された状態における当接面の側から見た斜視図を示す。図３に示すように、イオントフォレーシス装置１０は、当接面を覆っているセパレータ５１が取り外されると、第１導電型のイオン交換膜２５０、第２導電型のイオン交換膜３５０、作用側粘着面２６２、および非作用側粘着面３６２が露出する。ここで、第１導電型とは、陽または陰の一方の電気的な極性をいい、第２導電型とは、他方の電気的な極性をいう。イオントフォレーシス装置１０は、装置本体５０の当接面が皮膚に当接すると、作用側粘着面２６２および非作用側粘着面３６２で皮膚に粘着保持される。イオントフォレーシス装置１０において、後述するスイッチ６６が備えられている場合には、スイッチ６６がオンの状態で、装置本体５０が皮膚に粘着保持されると直ちに通電して使用状態となる。スイッチ６６が備えられていない場合には、装置本体５０が皮膚に粘着保持されると直ちに通電して使用状態となる。
【００１９】
図４は、使用状態における収納ポケット４５０の鉛直方向における断面図を示す。図２に示す未使用状態において、被投与者は以下の操作によりイオントフォレーシス装置１０を図４に示す使用状態とする。まず、収納ポケット４５０のベロ４２０を図２に示す矢印「ａ」の方向へ引っ張り、スナップ４３０を外す。次に、図４に示す矢印「ｂ」の方向へリング１３０を引っ張り、図４に示すようにセパレータ側トリガー１１０に接続されたセパレータ５１を装置本体５０の当接面から取り外すとともに、装置本体側トリガー１２０に接続された後述のスイッチ６６をオンの状態にする。
【００２０】
この状態で、被投与者が、セパレータ５１が外れて露出した装置本体５０の当接面を皮膚６００に当接させると、装置本体５０は作用側粘着面２６２および非作用側粘着面３６２で皮膚６００に粘着保持される。イオントフォレーシス装置１０は、装置本体５０が皮膚６００に粘着保持されると、直ちに使用状態となる。なおこの場合に、装置本体５０の外部に切換スイッチを設けて、被投与者が当該切換スイッチを操作することにより使用を開始してもよく、機械的または電気的に装置本体５０が皮膚６００に接触したことを検知して使用を開始してもよい。
【００２１】
図５は、イオントフォレーシス装置１０が衣服４００の内側に固定されている形態を示す。図５に示すように、イオントフォレーシス装置１０は、装置本体５０の一の面が衣服４００に固定されている。衣服４００に固定されている面と反対側の面である当接面は、イオントフォレーシスが適用されていない未使用状態では、セパレータ５１で覆われている。
【００２２】
セパレータ５１は、セパレータ接続部材８６を介してセパレータ固定部８４で衣服４００に固定されている。衣服４００の装置本体５０が固定されている部位とセパレータ固定部８４の部位との間には、少なくともその一部が撓んだ部分があり、この衣服４００の撓んだ部分は、簡易留７４によって留められている。簡易留７４は、例えば糸などによる簡易な縫製であり、人の力などで衣服４００の撓んだ部分を伸ばすように引っ張ると容易に解ける。ここで、セパレータ固定部８４および装置本体５０が衣服４００に固定されている力は、簡易留７４により衣服４００同士が留められている力よりも強く設定することが好ましい。すなわち、衣服４００の撓み部分を引っ張った場合に、セパレータ固定部８４および装置本体５０が衣服４００に固定されたままで、簡易留７４の縫製が解けることが好ましい。
【００２３】
図６は、図５に示す形態により薬物を経皮投与する態様を示す断面図を示す。図６（Ａ）は、イオントフォレーシス装置１０の未使用状態を示し、図６（Ｂ）は、イオントフォレーシス装置１０の使用状態を示す。図６（Ａ）および図６（Ｂ）に示すように、イオントフォレーシス装置１０は、装置本体固定部８２で装置本体５０の一の面が衣服４００に固定されている。未使用状態では、図６（Ａ）に示すように、イオントフォレーシス装置１０の当接面はセパレータ５１で覆われている。
【００２４】
被投与者が、衣服４００の簡易留７４の両側をそれぞれ引き離す方向に引っ張ると、衣服４００の簡易留７４が解けて衣服４００の撓んだ部分が伸びる。図６（Ｂ）に示すように、衣服４００の簡易留７４が解けて衣服４００の撓んだ部分が伸びるときに、装置本体５０を固定している装置本体固定部８２、およびセパレータ５１を固定しているセパレータ固定部８４は、それぞれ反対側に引っ張られて、装置本体５０の当接面を覆っているセパレータ５１が当接面から外れる。この状態で、被投与者が、セパレータ５１が外れて露出した装置本体５０の当接面を皮膚６００に当接させると、装置本体５０は作用側粘着面２６２および非作用側粘着面３６２で皮膚６００に粘着保持される。イオントフォレーシス装置１０は、装置本体５０が皮膚６００に粘着保持されると、直ちに使用状態となる。
【００２５】
図７は、他の形態により薬物を経皮投与する態様を示す断面図を示す。図７（Ａ）は、イオントフォレーシス装置１０の未使用状態を示し、図７（Ｂ）は、イオントフォレーシス装置１０の使用状態を示す。図７（Ａ）および図７（Ｂ）に示すように、イオントフォレーシス装置１０は、装置本体固定部８２で装置本体５０の一の面が衣服４００に固定されている。未使用状態では、図７（Ａ）に示すように、衣服４００の一部は、装置本体５０の当接面の側で折り返されて装置本体５０を包むように撓んでいる。衣服４００が折り返された折り目にあたる部分は、簡易留７４によって留められており、衣服４００の撓んだ部分は、２カ所で衣服４００の撓んでいない部分と簡易留７２によって留められている。また、イオントフォレーシス装置１０の当接面は、第１導電型のイオン交換膜２５０および作用側粘着面２６２を覆う作用側セパレータ５２、および、第２導電型のイオン交換膜３５０および非作用側粘着面３６２を覆う非作用側セパレータ５３で覆われている。作用側セパレータ５２および非作用側セパレータ５３は、衣服４００が折り返された部分にそれぞれ別々にセパレータ固定部８４で固定されている。この形態によれば、未使用状態では装置本体５０における当接面側も衣服４００で覆われているので、装置本体５０の当接面と皮膚６００とが不用意に接触することを防ぐことができる。
【００２６】
被投与者が、衣服４００の簡易留７４の両側をそれぞれ引き離す方向に引っ張ると、衣服４００の簡易留７４および簡易留７２がともに解けて衣服４００の撓んだ部分が伸びる。図７（Ｂ）に示すように、図７（Ａ）における衣服４００の簡易留７４および簡易留７２がともに解けて衣服４００の撓んだ部分が伸びるときに、装置本体５０の当接面を覆っている作用側セパレータ５２および非作用側セパレータ５３が衣服４００に連れられて当接面から外れる。この状態で、被投与者が、作用側セパレータ５２および非作用側セパレータ５３が外れて露出した装置本体５０の当接面を皮膚６００に当接させると、装置本体５０は作用側粘着面２６２および非作用側粘着面３６２で皮膚６００に粘着保持される。イオントフォレーシス装置１０は、装置本体５０が皮膚６００に粘着保持されると直ちに通電して、使用状態となる。
【００２７】
図１から図７に示す形態により、緊急に薬物を投与する場合に、特段の準備なく、直ちに薬物を経皮投与することができる。また、衣服４００を着たままの状態でも、簡単な操作で直ちに薬物を露出させることができる。したがって、不意に毒物と接触、あるいは有毒ガスを吸引した場合などにおいて、直ちに解毒剤である薬物を経皮投与することができる。さらに、セパレータ５１も衣服４００の内側に配した状態で装置本体５０から剥がすことができるので、セパレータ５１を衣服４００の内側と外側とを貫通させて配する場合にくらべて、衣服４００の密封性を損なうことがない。よって、高い耐水性などが求められる戦闘服等にも装置本体５０を取り付けることができる。
【００２８】
図８は、イオントフォレーシス装置１０の概略側面図を示す。図８に示すように、イオントフォレーシス装置１０は、装置本体５０の内部に、電源６０、作用側電極構造体２００、および、非作用側電極構造体３００を備える。
【００２９】
作用側電極構造体２００は、装置本体５０側から、皮膚６００に装着される場合の皮膚６００側に向かって、第１電極部材２１０、第１電解液保持部２２０、第２導電型のイオン交換膜２３０、薬液保持部２４０、および、第１導電型のイオン交換膜２５０をこの順に有し、上面および側面は、容器２６０で覆われている。第１電極部材２１０は、電源６０の第１導電型の端子６２に電気的に接続している。ただし、図１、図２および図４に示す形態においては、第１電極部材２１０は、スイッチ６６を介して、電源６０の第１導電型の端子６２に電気的に接続している。
【００３０】
第１電解液保持部２２０は、第１電極部材２１０に電気的に接続され、電解液を保持する。この電解液には、水の電気分解反応（水の酸化および還元反応）と比較して水の酸化還元電位より低い酸化還元電位を有する酸化および還元しやすい化合物が溶解した溶液を用いる。第２導電型のイオン交換膜２３０は、第１電極部材２１０との間で第１電解液保持部２２０を挟み、第２導電型のイオンを選択的に透過する。薬液保持部２４０は、薬物イオンを含む薬液を保持する。ここで、薬物イオンとは、薬物がイオン解離したアニオンおよびカチオンの一方であって、薬効を担う第１導電型のイオンをいう。第１導電型のイオン交換膜２５０は、第２導電型のイオン交換膜２３０との間で薬液保持部２４０を挟み、第１導電型のイオンを選択的に透過する。
【００３１】
非作用側電極構造体３００は、装置本体５０側から、皮膚６００に装着される場合の皮膚６００側に向かって、第２電極部材３１０、第２電解液保持部３２０、第１導電型のイオン交換膜３３０、第３電解液保持部３４０、および、第２導電型のイオン交換膜３５０をこの順に有する。第２電極部材３１０は、電源６０の第２導電型の端子６４に電気的に接続している。
【００３２】
第２電解液保持部３２０は、第２電極部材３１０に電気的に接続され、電解液を保持する。第１導電型のイオン交換膜３３０は、第２電極部材３１０との間で第２電解液保持部３２０を挟み、第１導電型のイオンを選択的に透過する。第３電解液保持部３４０は、第１導電型のイオン交換膜３３０において第２電解液保持部３２０と反対側に配され、電解液を保持する。第２導電型のイオン交換膜３５０は、第１導電型のイオン交換膜３３０との間で第３電解液保持部３４０を挟み、第２導電型のイオンを選択的に透過する。なお、第２電解液保持部３２０、および第３電解液保持部３４０が保持する電解液には、作用側電極構造体２００の第１電解液保持部２２０が保持する電解液と同様に、水の電気分解反応（水の酸化および還元反応）と比較して水の酸化還元電位より低い酸化還元電位を有する酸化および還元しやすい化合物が溶解した溶液を用いる。
【００３３】
作用側電極構造体２００の容器２６０、および、非作用側電極構造体３００の容器３６０は当接面に、それぞれ粘着性を有する作用側粘着面２６２および非作用側粘着面３６２を有する。これらは、図３に示す作用側粘着面２６２および非作用側粘着面３６２であり、上記のように、皮膚６００へ当接して装置本体５０を粘着保持する。イオントフォレーシス装置１０は、未使用状態で、電源６０から第１電極部材２１０および第２電極部材３１０に対して、イオントフォレーシスを適用するための電圧がかけられており、装置本体５０が皮膚６００と当接すると、直ちに第１電極部材２１０および第２電極部材３１０の間に皮膚６００を介して電流が流れて使用状態となる。ただし、図１、図２および図４に示す形態においては、スイッチ６６がオンの状態でない場合、装置本体５０の当接面が皮膚６００と当接しても使用状態とはならない。
【００３４】
ここで、薬物イオンがアニオンである場合を例に、イオントフォレーシス装置１０の具体的構成についてさらに説明する。この場合、第１導電型は陰であり、第２導電型は陽である。したがって、作用側電極構造体２００の第１電極部材２１０はカソードとなり、非作用側電極構造体３００の第２電極部材３１０はアノードとなる。また、作用側電極構造体２００において、第２導電型のイオン交換膜２３０にはカチオン交換膜を用い、第１導電型のイオン交換膜２５０にはアニオン交換膜を用いる。また、作用側電極構造体２００において、第１導電型のイオン交換膜３３０にはアニオン交換膜を用い、第２導電型のイオン交換膜３５０にはカチオン交換膜を用いる。
【００３５】
イオントフォレーシス装置１０は、使用状態において、以下の作用効果を奏する。すなわち、作用側電極構造体２００では、薬液保持部２４０が保持する薬液に含まれる薬物イオンは、電気泳動によりカソードである第１電極部材２１０と反対側（皮膚６００側）へ移動し、薬液保持部２４０の皮膚６００側に配設されて皮膚６００と当接する第１導電型のイオン交換膜２５０を透過して速やかに皮膚６００へ浸透する。これに対し、生体内のカチオンは第１導電型のイオン交換膜２５０を透過して薬液保持部２４０側へ移動することがない。したがって、安定した使用状態のもとでイオントフォレーシスにより薬物イオンを生体へ導入することができる。また、薬液保持部２４０に含まれる、アニオンである薬物イオンと対を成すカチオンは、第１電極部材２１０側へ移動し、カチオン交換膜である第２導電型のイオン交換膜２３０を透過して第１電解液保持部２２０側へ移動する。したがって、使用状態において、薬液保持部２４０のイオンバランスが崩れないので、ｐＨの変化は生じにくい。故に、通電抵抗が大きくなりにくいので、薬物イオンの輸送効率の低下を抑えることができる。
【００３６】
一方、非作用側電極構造体３００では、第３電解液保持部３４０が保持する電解液に溶解している化合物が水の酸化還元電位より低い酸化還元電位を有する化合物であるので、アノードである第２電極部材３１０において、水の電気分解反応は起こらない。したがって、水の電気分解反応で発生する気泡（酸素ガス）によって、第２電極部材３１０と第３電解液保持部３４０の保持する電解液との接触が妨げられることで通電抵抗が大きくなるのを防ぐことができる。
【００３７】
なお、薬物イオンがカチオンである場合は、第１導電型は陽であり、第２導電型は陰である。したがって、図８に示すイオントフォレーシス装置１０における、第１電極部材２１０および第２電極部材３１０の電気的な極性は逆になり、また、第２導電型のイオン交換膜２３０、第１導電型のイオン交換膜２５０、第１導電型のイオン交換膜３３０、および第２導電型のイオン交換膜３５０の種類（イオン選択特性）はそれぞれ反対のものになる。
【００３８】
本実施形態において、イオントフォレーシス装置１０の装置本体５０を衣服４００に固定する手段である装置本体固定部８２は、例えば糸による縫製、あるいは接着剤による接着などでよい。装置本体固定部８２は、衣服４００を着用している被投与者の激しい運動などによっても衣服４００から装置本体５０が外れることがない程度に十分な強度で固定されていることが好ましい。
【００３９】
また、イオントフォレーシス装置１０に適用される薬物は、例えば、毒物あるいは有毒ガスの解毒剤、糖尿病の治療薬、および心臓病の治療薬などがあり、具体的には、例えばサリン中毒に対する解毒剤であるアトロピン塩が挙げられる。その他には、例えば以下のような薬物が挙げられる。
【００４０】
糖尿病の治療薬としては、例えばアカルボース、アセトヘキサミド、塩酸ピオグリタゾン、塩酸ブホルミン、塩酸メトホルミン、クロルプロパミド、グリクラジド、グリクロピラミド、グリブゾール、グリベンクラミド、グリメピリド、トルブタミド、ナテグリニド、ボグリボース、ミチグリニドカルシウム水和物が挙げられる。
【００４１】
また、強心剤としては、例えばアミノエチルスルホン酸、アミノフィリン、アムリノン、安息香酸ナトリウムカフェイン、塩酸イソプレナリン、塩酸エチレフリン、塩酸エフェドリン、塩酸オルプリノン、塩酸コルホルシンダロパート、塩酸ドパミン塩酸ドブタミン、カフェイン、コリンテオフィリン、ジギトキシン、ジゴキシン、ジプロフィリン、デスラノシド、デノパミン、ドカルパミン、ピモベンダン、ブクラデシンナトリウム、プロキシフィリン、プロスシラリジン、ベスナリノン、ミルリノン、メチルジゴキシン、ユビデカレノン、ラナトシドＣが挙げられる。
【００４２】
また、不整脈の治療薬としては、例えばアジマリン、アテノロール、塩酸アセブトロール、塩酸アプリンジン、塩酸アミオダロン、塩酸アルプレノロール、塩酸アロチノロール、塩酸インデノロール、塩酸エスモロール、塩酸オクスプレノロール、塩酸カルテオロール、塩酸ソタロール、塩酸ニフェカラント、塩酸ピルジカイニド、塩酸ピルメノール、塩酸ブフェトロール、塩酸プロカインアミド、塩酸プロパフェノン、塩酸プロプラノロール、塩酸ベプリジル、塩酸ベラパミル、塩酸メキシレチン、塩酸ランジオロール、コハク酸シベンゾリン、酢酸フレカイニド、酒石酸メトプロロール、ジソピラミド、ナドロール、ピンドロール、フマル酸ビソプロロール、リドカイン、硫酸キニジンが挙げられる。
【００４３】
また、血管拡張剤としては、亜硝酸アミル、一硝酸イソソルビド、イノシトールヘキサニコチネート、塩酸イソクスプリン、塩酸ジラゼプ、塩酸ジルチアゼム、塩酸トリメタジジン、塩酸ベニジピン、塩酸ベラパミル、カルペリチド、硝酸イソソルビド、ジピリダモール、トラピジル、ニコランジル、ニソルジピン、ニトレンジピン、ニトログリセリン、ニフェジピン、ヘプロニカート、ベシル酸アムロジピン、マレイン酸エナラプリル、リシノプリルが挙げられる。
【００４４】
また、イオントフォレーシスを適用するための電圧は、例えば、低周波治療器のようにパルス電圧でもよい。また、徐々に電圧を上げたり、あるいは、下げてもよい。体内を流れる電流は、０．０１〜５ｍＡの範囲が好ましいが、第１電極部材２１０および第２電極部材３１０の面積や投与部位、さらには被投与者の個体差などによって増減させて、痛みや熱感を与えない程度に設定する。
【００４５】
また、電源６０は、装置本体５０に内蔵する形態に限定されず、外部に配されてもよい。電源６０は、第１電極部材２１０および第２電極部材３１０に対してイオントフォレーシスを適用するための電圧を常時かけてもよいが、装置本体５０が皮膚６００と当接するのを検知する手段をさらに備えて、皮膚６００と当接したときだけイオントフォレーシスを適用するための電圧をかけてもよい。電源６０は、電池、定電圧装置、定電流装置、定電圧・定電流装置（ガルバノ装置）など所望のものでよく、携行性に優れていることが好ましい。
【００４６】
また、第１電極部材２１０、および第２電極部材３１０の電極材は、例えば、炭素、白金などの導電性材料など、薬物イオンの特性に応じて所望のものでよい。
【００４７】
また、作用側電極構造体２００の第１電解液保持部２２０、非作用側電極構造体３００の第２電解液保持部３２０および第３電解液保持部３４０は、上記のように、電解液として、水の電気分解反応（水の酸化および還元反応）と比較して水の酸化還元電位より低い酸化還元電位を有する酸化および還元しやすい化合物が溶解した溶液を用いることが好ましい。例えば、第一硫酸鉄（ＦｅＳＯ４）と第二硫酸鉄〔Ｆｅ２（ＳＯ４）３〕の混合水溶液、アスコルビン酸ナトリウム水溶液、乳酸およびフマル酸ナトリウムの混合水溶液、などが挙げられる。また、これら電解液の保持形態は、例えば、ゲル、あるいは所望の媒体（ガーゼ、吸水性高分子材料など）に含浸させたタイプのもの、あるいは電解液をそのまま保持する溶液タイプのものなどであってもよい。
【００４８】
また、アニオン交換膜は、例えば、高分子の側鎖に四級化されたアンモニウム基を有するもの、カチオン交換膜としては、例えば、高分子の側鎖にスルホン酸基を有するものなど所望のものでよく、これらは薬物イオンの種類などによって適宜組み合わせてもよい。
【００４９】
また、容器２６０および容器３６０は、非イオン伝導性および電気絶縁性を有し、さらに、可塑性、柔軟性、可撓性、および形状保持性の少なくとも一つを有する材料にて作製されるのが望ましい。例えば、アクリル、ポリ塩化ビニル、ポリアクリル、ポリアミド、ポリスルホン、ポリスチレン、ポリオキシメチレン、ポリカーボネート、ポリエステル、およびこれらの素材の共重合体などが適当である。
【００５０】
以上、本発明を実施の形態を用いて説明したが、本発明の技術的範囲は上記実施の形態に記載の範囲には限定されない。上記実施の形態に、多様な変更または改良を加えることができることが当業者に明らかである。その様な変更または改良を加えた形態も本発明の技術的範囲に含まれ得ることが、特許請求の範囲の記載から明らかである。
【図面の簡単な説明】
【００５１】
【図１】本実施形態に係るイオントフォレーシス装置１０を収納する収納ポケット４５０を有する衣服４００の外観図を示す。
【図２】未使用状態における収納ポケット４５０の鉛直方向における断面図を示す。
【図３】イオントフォレーシス装置１０の装置本体５０の当接面からセパレータ５１が取り外された状態における当接面の側から見た斜視図を示す。
【図４】使用状態における収納ポケット４５０の鉛直方向における断面図を示す。
【図５】イオントフォレーシス装置１０が衣服４００の内側に固定されている形態を示す。
【図６】図５に示す形態により薬物を経皮投与する態様を示す断面図を示す。
【図７】他の形態により薬物を経皮投与する態様を示す断面図を示す。
【図８】イオントフォレーシス装置１０の概略側面図を示す。
【符号の説明】
【００５２】
１０  イオントフォレーシス装置、５０  装置本体、５１  セパレータ、５２  作用側セパレータ、５３  非作用側セパレータ、６０  電源、６２  第１導電型の端子、６４  第２導電型の端子、６６  スイッチ、７２  簡易留、７４  簡易留、８２  装置本体固定部、８４  セパレータ固定部、８６  セパレータ接続部材、９０  装置本体固定冶具、９２  冶具固定部、１００  トリガー、１１０  セパレータ側トリガー、１２０  装置本体側トリガー、１３０  リング、２００  作用側電極構造体、２１０  第１電極部材、２２０  第１電解液保持部、２３０  第２導電型のイオン交換膜、２４０  薬液保持部、２５０  第１導電型のイオン交換膜、２６０  容器、２６２  作用側粘着面、３００  非作用側電極構造体、３１０  第２電極部材、３２０  第２電解液保持部、３３０  第１導電型のイオン交換膜、３４０  第３電解液保持部、３５０  第２導電型のイオン交換膜、３６０  容器、３６２  非作用側粘着面、４００  衣服、４１０  ポケット、４２０  ベロ、４３０  スナップ、４４０  貫通穴、４５０  収納ポケット、６００  皮膚
【図１】
2007167581.tif 000003
【図２】
2007167581.tif 000004
【図３】
2007167581.tif 000005
【図４】
2007167581.tif 000006
【図５】
2007167581.tif 000007
【図６】
2007167581.tif 000008
【図７】
2007167581.tif 000009
【図８】
2007167581.tif 000010